(57)【特許請求の範囲】
【請求項１】
室内空気を乾燥する除湿手段と、この除湿手段で除湿された乾燥空気を搬送する送風手段を備えた本体と、この本体に設けた吹出口と、この吹出口の風路内に設けた風向変更ユニットと、この風向変更ユニットを回転可能に支持する回転軸と、この回転軸に貫通されるとともに傾いて固定される複数の風向変更板を有し、この風向変更板を前記回転軸の途中から、傾斜の向きを反対にして設け、前記回転軸の端に近い位置の前記風向変更板ほど、取り付けの傾斜角度を大とし、傾斜した前記風向変更板の形状を長円形とし、前記回転軸の端に近い位置の前記風向変更板ほど、長円形状の長径を大とし、傾斜した前記風向変更板を回転させるときの可動範囲が実質的に同じ円形とした除湿機用の風向変更装置。
【請求項２】
回転軸と直行する基準風向変更板を回転軸の途中に設け、この基準風向変更板の両側に位置する風向変更板の傾斜の向きを反対にしてなる請求項１記載の風向変更装置。
【請求項３】
風向変更板の端部を連結する連結リブを設けた請求項１または２に記載の風向変更装置。
【請求項４】
回転軸を回転する回転手段を設け、この回転手段の回転速度を変更可能に設けた請求項１記載の風向変更装置。
【請求項５】
送風手段はファンケーシングを有し、風向変更ユニットを前記ファンケーシングの吐出口近傍に設け、前記風向変更ユニットが送風範囲を拡大する位置にあるとき、前記ファンケーシングの舌部側に位置する風向変更板の傾斜角度と、前記ファンケーシングの吐出角度とを略一致させてなる請求項１〜３のいずれかに記載の風向変更装置。
【請求項６】
送風手段はファンケーシングを有し、風向変更ユニットを前記ファンケーシングの吐出口近傍に設け、前記風向変更ユニットが送風範囲を集中させる位置にあるとき、前記ファンケーシングの舌部に最も近接する風向変更板と舌部との間隔を狭くして、風の漏れを防いでなる請求項１〜３のいずれかに記載の風向変更装置。
【発明の詳細な説明】
【技術分野】
【０００１】
本発明は、除湿機などの空調装置の吹出口に使用される風向変更装置に関する。
【背景技術】
【０００２】
従来、この種の風向変更装置は、回転可能に設けられた軸に複数枚の風向変更板を同一傾斜方向に取付けたものを回転させることによって、多方向に風向を変更して衣類を乾燥するものが知られている（例えば、特許文献１参照）。
【０００３】
以下、その風向変更装置について図８、図９を参照しながら説明する。
【０００４】
図に示すように、本体１０４の吹出口１０５内側に乾燥空気を多方向に吹き出させるための風向板１０１をモータ１０３により回転自在に設け、風向板１０１は回転軸１０２に対して同一の傾斜を設けている。
【０００５】
そして、乾燥空気をシロッコファン１０６により吹出口１０５から室内に吹き出すときに、モータ１０３により風向板１０１を回転駆動して、乾燥空気を多方向に吹き出すようにしている。
【特許文献１】特開平７−１３９７５９号公報（第１頁、図１、図２）
【発明の開示】
【発明が解決しようとする課題】
【０００６】
このような風向変更装置では、除湿機本体の正面に洗濯物を干すことができず使い勝手が悪く、また幅広く大量に干された衣類に対しては、間欠的に乾燥空気を当てることはできても、連続して幅広く乾燥空気を当て続けることができず、さらに吹き出し範囲を調整できないので、除湿機の吹き出し範囲に合わせて衣類を干す範囲や配置を考えなければならないという課題があり、乾燥空気の送風範囲を自由に選択できることが要求されている。
【０００７】
また、衣類の種類や材質により乾燥速度に違いがあるため、均等に乾燥風を当てると乾燥ムラを生じるという課題があり、乾燥速度の異なる衣類を同時に乾燥するときに、乾燥ムラを生じないことが要求されている。
【０００８】
また、ジーンズ１本などといった少量または厚手の衣類を短時間で乾燥したい場合には、送風範囲が広いと無駄が多くなり、結果としてエネルギーを浪費するだけでなく、乾燥時間が長くなるという課題があり、少量の洗濯物や厚手の衣類に乾燥空気を集中できることが要求されている。
【０００９】
本発明は上記従来の課題を解決するものであり、乾燥空気の送風範囲を任意に選択可能とすることによって、衣類を並べて干す範囲や配置にかかわらず、衣類に対して連続的に乾燥空気を供給することができ、また衣類の干す位置で乾燥風の供給時間を変更して乾燥ムラを防ぐことができ、また少量あるいは厚手の洗濯物に対しても、乾燥空気を集中的に供給して乾燥時間を低減することができる風向変更装置を提供することを目的としている。
【課題を解決するための手段】
【００１０】
本発明の風向変更装置は上記目的を達成するために、室内空気を乾燥する除湿手段と、この除湿手段で除湿された乾燥空気を搬送する送風手段を備えた本体と、この本体に設けた吹出口と、この吹出口の風路内に設けた風向変更ユニットと、この風向変更ユニットを回転可能に支持する回転軸と、この回転軸に貫通されるとともに傾いて固定される複数の風向変更板を有し、この風向変更板を前記回転軸の途中から、傾斜の向きを反対にして設け、前記回転軸の端に近い位置の前記風向変更板ほど、取り付けの傾斜角度を大とし、傾斜した前記風向変更板の形状を長円形とし、前記回転軸の端に近い位置の前記風向変更板ほど、長円形状の長径を大とし、傾斜した前記風向変更板を回転させるときの可動範囲が実質的に同じ円形としたものである。
【００１１】
また、他の手段は回転軸と直行する基準風向変更板を回転軸の途中に設け、この基準風向変更板の両側に位置する風向変更板の傾斜の向きを反対にしてなるものである。
【００１６】
また、他の手段は風向変更板の端部を連結する連結リブを設けたものである。
【００１７】
また、他の手段は回転軸を回転する回転手段を設け、この回転手段の回転速度を変更可能に設けたものである。
【００１８】
また、他の手段は送風手段はファンケーシングを有し、風向変更ユニットを前記ファンケーシングの吐出口近傍に設け、前記風向変更ユニットが送風範囲を拡大する位置にあるとき、前記ファンケーシングの舌部側に位置する風向変更板の傾斜角度と、前記ファンケーシングの吐出角度とを略一致させてなるものである。
【００１９】
また、他の手段は送風手段はファンケーシングを有し、風向変更ユニットを前記ファンケーシングの吐出口近傍に設け、前記風向変更ユニットが送風範囲を集中させる位置にあるとき、前記ファンケーシングの舌部に最も近接する風向変更板と舌部との間隔を狭くして、風の広がりを防いでなるものである。
【００２０】
これらの手段により、乾燥空気の送風範囲を任意に選択可能とすることによって、衣類を並べて干す範囲や配置にかかわらず、衣類に対して連続的に乾燥空気を供給することができ、また乾燥速度の異なる衣類を同時に乾燥させても乾燥ムラを防ぐことができ、また少量あるいは厚手の洗濯物に対しても、乾燥空気を集中的に供給して乾燥時間を低減することができる風向変更装置が得られる。
【発明の効果】
【００２１】
本発明によれば、乾燥空気の送風範囲を拡散から集中まで任意に選択することができるので、幅広く干された洗濯物に対しては、乾燥空気を拡散させることにより、広範囲の洗濯物に乾燥空気を均一に供給することができ、また、ジーンズ１本などの少量の洗濯物に対しては、乾燥空気を集中させることにより、無駄な送風を省き、風速大の乾燥空気を供給して乾燥時間を短縮することができ、様々な衣類乾燥シーンに適確に対応できる風向変更装置を提供できる。
【００２２】
また、乾燥空気を広範囲あるいは集中して遠くまで供給できることにより、室内全体の除湿だけでなく、押入れ内部などにも効果的に乾燥風を供給することができる。
【００２３】
また、乾燥空気が風向変更ユニットの基準風向変更板を中心にして、吹出口からワイドにも集中的にも吹き出すため、衣類の形状や材質に応じて、吹き出し方法を選択して乾燥空気を供給することができ、乾燥ムラを防ぎ、乾燥時間を短縮できるという効果のある風向変更装置を提供できる。
【００２４】
また、風向変更ユニットの通風抵抗を抑えることにより、低騒音を実現できる。
【００２５】
また、風向変更ユニットの可動範囲を省スペース化することが可能となり、吹出口付近を拡張することなく本体を小型化できる。
【００２６】
また、衣類が干されている状況に合わせて、風向変更ユニットを回動して所望位置で止めることにより、送風範囲を手軽に調整できる。
【００２７】
また、風向変更ユニットを連続的に回転させた場合には、中央に乾きにくい衣類、左右両端に乾きやすい衣類を干すようにすれば、効果的に乾燥空気を供給して乾燥ムラなく衣類乾燥できるという効果のある風向変更装置を提供できる。
【００２８】
また、乾燥対象となる衣類が乾きやすい素材の場合には、風向変更ユニットの回転速度を上げ、乾きにくい素材の場合には回転速度を遅くすることで、衣類の種類に合わせた回転速度を選択することにより、乾燥効率を高めることができる。
【００２９】
また、風向変更ユニットの送風範囲を拡散させたい場合において、コンパクトな構成でありながら、低騒音で乾燥空気を拡散させることができる。
【００３０】
また、風向変更ユニットの送風範囲を集中させたい場合において、吹出口の端から乾燥空気が漏れないようにすることができ、乾燥空気を無駄なく利用して衣類に集中させることができる。
【発明を実施するための最良の形態】
【００３１】
本発明の請求項１記載の発明は、室内空気を乾燥する除湿手段と、この除湿手段で除湿された乾燥空気を搬送する送風手段を備えた本体と、この本体に設けた吹出口と、この吹出口の風路内に設けた風向変更ユニットと、この風向変更ユニットを回転可能に支持する回転軸と、この回転軸に貫通されるとともに傾いて固定される複数の風向変更板を有し、この風向変更板を前記回転軸の途中から、傾斜の向きを反対にして設け、前記回転軸の端に近い位置の前記風向変更板ほど、取り付けの傾斜角度を大とし、傾斜した前記風向変更板の形状を長円形とし、前記回転軸の端に近い位置の前記風向変更板ほど、長円形状の長径を大とし、傾斜した前記風向変更板を回転させるときの可動範囲が実質的に同じ円形としたものであり、風向変更板が吹出口で下流側に向けて広がる回転位置では、乾燥空気は風向変更板に沿って拡散して吹き出し、下流側に向けて狭くなる回転位置では、乾燥空気は風向変更板に沿って集中的に吹き出し、下流側に向けて各風向変更板の間隔が広くも狭くもならない中間位置では、上流側から下流側に向けて同一方向となり、乾燥空気は略平行に吹き出し、乾燥空気を拡散するときは均等に分散しながら，送風範囲を大きくすることができ、乾燥空気を集中する時は吹出口から広範囲に漏れなく乾燥風を集めて、集中して吹き出すことができ、送風範囲を拡大または集中するときに、吹き出し風を大きく角度変更する外側の風向変更板の案内距離を大きく取れるので、乾燥空気の送風範囲の調整が確実に行え、傾斜した風向変更板を回転させるときの可動範囲が略円形となり、吹出口を拡大することなくコンパクトに設置することができるという作用を有する。
【００３２】
また、回転軸と直行する基準風向変更板を回転軸の途中に設け、この基準風向変更板の両側に位置する風向変更板の傾斜の向きを反対にしたものであり、回転軸と直行する基準風向変更板を中心として、乾燥空気を意図する送風領域に拡散または集中して吹き出すことができる。
【００３７】
また、風向変更板の端部を連結する連結リブを設けたものであり、各風向変更板を連結して一体化することで強度が増して、風圧による風向変更板の変形や回転軸の曲がりを防止するとともに、風向変更板の微少振動を抑えて、騒音や振動を発生させないという作用を有する。
【００３８】
また、回転軸を回転する回転手段を設け、この回転手段の回転速度を変更可能に設けたものであり、乾燥対象となる衣類が乾きやすい素材の場合には回転速度を速め、乾きにくい素材の場合には回転速度を遅くすることにより、衣類の種類に合わせて回転速度を選択することができ、乾燥効率を高めることができるという作用を有する。
【００３９】
また、送風手段はファンケーシングを有し、風向変更ユニットを前記ファンケーシングの吐出口近傍に設け、前記風向変更ユニットが送風範囲を拡大する位置にあるとき、前記ファンケーシングの舌部側に位置する風向変更板の傾斜角度と、前記ファンケーシングの吐出角度とを略一致させたものであり、ファンケーシングの舌部に沿うように流出した乾燥空気の通風を妨げずに、近接する風向変更板に導入して外方に吹き出すことができ、通風抵抗を少なくして送風範囲を広げることができるという作用を有する。
【００４０】
また、送風手段はファンケーシングを有し、風向変更ユニットを前記ファンケーシングの吐出口近傍に設け、前記風向変更ユニットが送風範囲を集中させる回転位置において、前記ファンケーシングの舌部に最も近接する風向変更板と舌部との間隔を狭くして、風の広がりを防いだものであり、ファンケーシングと舌部との隙間が狭くなる寸法関係とすることにより、舌部に沿って進もうとする乾燥空気が隙間から漏れないようにして、進行角度を変更しながら風向変更板の方向に誘導することができるという作用を有する。
【００４１】
以下、本発明の実施の形態について図面を参照しながら説明する。
【００４２】
（実施の形態１）
図１〜図７に示すように、本体１は室内空気を乾燥する除湿手段９と、除湿手段９で除湿された乾燥空気を搬送する送風手段３を有し、除湿手段９と送風手段３は操作部１０を入力操作すると、制御部１１により運転制御される。
【００４３】
本体１の上部に乾燥空気を吹き出す吹出口２が開口されており、風向変更ユニット４は吹出口２の上流側を横断するように、送風手段３の吐出側に近接して配置されている。
【００４４】
風向変更ユニット４は回転手段となる小型モータ６により回転可能に設けられ、小型モータ６は制御部１１により駆動制御される。また風向変更ユニット４は操作部１０の操作により、回転動作と停止状態を選択可能であり、連続回転または吹き出し方向を所望角度に停止して使用できるようになっている。
【００４５】
風向変更ユニット４は小型モータ６に連結される回転軸８と、回転軸８に貫通されて固定される一枚の基準風向変更板５ａおよび複数枚の風向変更板５にて構成され、基準風向変更板５ａは送風手段３の吐出口の中央付近に位置して、回転軸８に直行して固定され、円形の平板形状をなしている。風向変更板５は基準風向変更板５ａの左右に傾斜方向を逆方向にして固定され、それぞれ長円の平板形状をなしている。また、風向変更板５は回転軸８の端に近いものほど、垂直面に対して傾斜角度を大とするとともに、長円形状の長径寸法も大としている。基準風向変更板５ａおよび風向変更板５の端部は連結リブ１２で連結されており、連結リブ１２は風向変更板５の長径の両端部で、回転軸８と略平行に架設している。
【００４６】
また、風向変更板５の回転軸８方向の投影形状は円形をなし、図４に示すように、回転軸８の中央側に固定された複数の風向変更板５Ａの投影外形は回転軸８の端部側に固定された複数の風向変更板５Ｂ、５Ｃの投影外形より寸法大とすることにより、中央側の傾斜角度の小さな風向変更板５Ａが外側の傾斜角度の大きな風向変更板５Ｂ、５Ｃに対して、寸法形状の相対的な差を少なくしている。
【００４７】
また、風向変更ユニット４は回転軸８を介して小型モータ６で回転制御されるが、操作部１０を操作することで、制御部１１により小型モータ６の回転速度を変更可能に設けており、乾燥する衣類の材質に応じて回転数を変更できるようにしている。
【００４８】
また、風向変更ユニット４の停止状態で、風向変更板５の下流側を外側に向けて送風範囲を拡大する位置にあるときは、図３に示すように、送風手段３のファンケーシング７の舌部７ａに端部が近接する風向変更板５ｂの傾斜角度と、舌部７ａ付近の送風角度を略同一にしている。
【００４９】
また、風向変更ユニット４の停止状態で、風向変更板５の下流側を内側に向けて送風範囲を集中する位置にあるときは、図４に示すように、送風手段３のファンケーシング７の舌部７ａに最も近接する風向変更板５ｄと舌部７ａとの間隔を最小限に狭くしている。
【００５０】
上記構成において，本体１を運転するときは、操作部１０を操作して制御部１１に入力信号を送り、制御部１１により除湿手段９と送風手段３が駆動される。送風手段３の起動で、本体１の背面より吸込まれた室内空気は除湿手段９で除湿され、乾燥空気が風向変更ユニット４を通過して吹出口２より排出される。このとき風向変更ユニット４は図７に示すように、初期状態では送風範囲は標準に設定されており、吹出口２から略平行に吹き出される。さらに、乾燥すべき衣類の吊り下げた範囲に合わせて送風範囲を変更するときは、操作部１０を操作して風向変更ユニット４を回転させると、送風範囲が拡大または縮小するので、所望の送風範囲になった所で回転を停止することにより、全ての衣類に過不足なく乾燥風を供給するように調整することができる。
【００５１】
また、乾燥する衣類の量が極端に少ない場合や、厚手の衣類を短時間で乾燥させたい場合は、風向変更ユニット４を回転して送風範囲を最も狭い状態に設定することにより、風速を高めた乾燥風を衣類に集中して吹きつけることができるので、乾燥風を有効に利用して、短時間で乾燥することができる。
【００５２】
なお、室内を除湿乾燥するために、送風範囲を拡大して乾燥空気を拡散する使い方や、押入れや下駄箱などの局所的なエリアを除湿するために、送風範囲を狭くして送風速度を上げて集中乾燥する使い方とすることにより、衣類乾燥以外にも有効な使い方ができるものである。
【００５３】
次に風向変更ユニット４を連続回転させると、送風範囲は標準から拡大、標準、狭小、標準、・・と順次変化する繰り返しの運転を行う。このとき吹き出される風は、風向変更ユニット４に設けた基準風向変更板５ａを中心にして、送風範囲を拡大または縮小するものであり、基準風向変更板５ａ近辺を通過する乾燥風は常に同一方向に吹き出されるため、乾燥風が定常的に供給され、風向変更ユニット４の端部に近い風向変更板５を通過する乾燥風は送風範囲内では間欠的に供給される。したがって、厚手の衣類などを基準風向変更板５ａの前方に吊り下げ、乾燥しやすい衣類を送風範囲内の中央から外れた範囲に並べて吊り下げることにより、乾燥速度の違いがある衣類を同時に乾燥しても、乾燥ムラのない乾燥運転ができるものである。
【００５４】
風向変更ユニット４の風向変更板５は、回転軸８の途中に垂直に取り付けられた基準風向変更板５ａを中心に、左右で異なる傾斜方向となるように傾いて配置されるとともに、回転軸８の端に近い位置の風向変更板５ほど、取り付けの傾斜角度を大としている。
【００５５】
そして、風向変更板５が下流側に向けて広がる位置で使用するときは、風向変更板５を介して、送風手段３からの乾燥空気を均等かつ広角度で拡散して吹出口２より吹き出すことができる。このとき、ファンケーシング７の舌部７ａ近傍の風向変更板５ｂを、ファンケーシング７の吹き出し角度と略一致する傾斜角度とすることにより、乾燥空気は抵抗なくスムーズに拡散するとともに、騒音の発生を抑制することができる。
【００５６】
また、風向変更板５が下流側に向けて狭く収束する位置で使用するときは、乾燥空気は風向変更板５を介して高速で集中的に吹き出され、前述のように衣類が少ない場合は短時間で乾燥できる。しかし、風向変更板５への風圧は、拡散に比べて大幅に高くなる箇所が生じるので、このとき舌部７ａ近傍に位置する風向変更板５ｄを、ファンケーシング７との隙間が狭くなる寸法関係とすることにより、乾燥空気の周辺への漏れを少なくすることができ、乾燥空気量を確保しつつ、衣類などに集中して吹き出すことができる。
【００５７】
また、図５に示すように、風向変更板５が拡散と集中の中間の位置では、風向変更板５は水平面での向きはそれぞれ異なるものの、吹出口２を流れる乾燥空気の抵抗とはならない方向の配置となるため、風向変更板５を通過する乾燥空気は吹出口２全体から上方に略平行に吹き出すことができる。
【００５８】
また、各風向変更板５の長径の両端部をそれぞれ連結する連結リブ１２を架設し、連結リブ１２は回転軸８に略平行に設けることにより、各風向変更板５を連結して一体化することで風向変更ユニット４の全体の強度を増強することができ、風圧による風向変更板の変形や回転軸の曲がりを防止できるとともに、風向変更板５の微少振動を抑えて、風向変更ユニット４から騒音や振動を発生させないようにすることができる。
【００５９】
また、傾斜した風向変更板５の形状を長円形としているので、傾斜した風向変更板を回転させるときの可動範囲が略円形となり、吹出口を拡大することなくコンパクトに設置することができる。
【００６０】
なお、本実施の形態では、吹出口２の設けられた位置を本体１の上部としているが、本体１の側部または下部に設けても同様の効果を奏するものである。
【００６１】
また、風向変更板５の形状を円形または長円形としたが、風向変更板５の形状は限定されるものではなく、多角形としてもよいものである。
【産業上の利用可能性】
【００６２】
本発明は乾燥空気を広範囲に拡大または狭く集中して吹き出すことで、広範囲の衣類乾燥や衣類乾燥時間の低減ができるものであり、用途に応じて加湿空気や冷温風の送風範囲や送風速度を変えて吹き出す加湿器、エアコンなどの空調機器の用途にも適用できる。
【図面の簡単な説明】
【００６３】
【図１】本発明の実施の形態１の風向変更装置の透視図
【図２】同、外観斜視図
【図３】同、拡散吹き出し時の正面透視図
【図４】同、集中吹き出し時の正面透視図
【図５】同、拡散と集中の中間吹き出し時の正面透視図
【図６】同、ブロック回路図
【図７】同、小型モータの動停と送風範囲の関係を示すタイムチャート
【図８】従来の除湿機の風向変更装置の概略断面図
【図９】同、風向変更装置の外観斜視図
【符号の説明】
【００６４】
１    本体
２    吹出口
３    送風手段
４    風向変更ユニット
５    風向変更板
５ａ  基準風向変更板
５Ａ  風向変更板
５ｂ  風向変更板
５Ｂ  風向変更板
５Ｃ  風向変更板
５ｄ  風向変更板
６    小型モータ（回転手段）
７    ファンケーシング
７ａ  舌部
７ｂ  吐出口
８    回転軸
１２  連結リブ
【図１】
0004752489.tif 000002
【図２】
0004752489.tif 000003
【図３】
0004752489.tif 000004
【図４】
0004752489.tif 000005
【図５】
0004752489.tif 000006
【図６】
0004752489.tif 000007
【図７】
0004752489.tif 000008
【図８】
0004752489.tif 000009
【図９】
0004752489.tif 000010